(57)【要約】【課題】電力線通信により受信データシンボルを送信し、合成して受信特性を向上させる。【解決手段】放送局１から複数の伝送路１００−１乃至１００−３を介して伝送され、アンテナ１１０−１乃至１１０−３によって受信された受信信号が各受信機２００−１乃至２００−３に供給される。各受信機２００−１乃至２００−３は、受信信号に対応する受信データシンボルを電力線４００を介して送信し、受信機２００−１乃至２００−３の受信データシンボルを合成して新たに受信データシンボルを生成し、合成して得られた受信データシンボルに対応する映像を表示する。【選択図】図１
2008300919.tif 000002
【特許請求の範囲】
【請求項１】
電力線にテレビジョン放送を受信する複数の受信機が接続されたテレビジョン放送受信システムであって、
各受信機は、前記テレビジョン放送を受信するテレビジョン放送受信手段と、
前記テレビジョン放送受信手段によって受信された前記テレビジョン放送に対応する受信データシンボルを前記電力線を介して他の受信機に送信する受信データシンボル送信手段と、
前記電力線を介して他の受信機から送信されてきた各受信データシンボルと前記受信データシンボルとを合成し、新たに受信データシンボルを生成する生成手段と
を備えることを特徴とするテレビジョン放送受信システム。
【請求項２】
各受信機は、前記テレビジョン放送受信手段によって受信された前記テレビジョン放送の受信電力を検出する検出手段と、
前記検出手段によって検出された前記受信電力に対応する重み係数を算出する重み係数算出手段と、
前記重み係数算出手段によって算出された前記重み係数を前記電力線を介して他の受信機に送信する重み係数送信手段と
をさらに備え、
前記生成手段は、各受信機の前記受信データシンボルと前記重み係数との積から前記新たな受信データシンボルを生成する
ことを特徴とする請求項１に記載のテレビジョン放送受信システム。
【請求項３】
各受信機は、前記テレビジョン放送受信手段によって受信された前記テレビジョン放送の受信電力を検出する検出手段と、
前記検出手段によって検出された前記受信電力に対応する重み係数を算出する重み係数算出手段と、
前記重み係数算出手段によって算出された前記重み係数を前記電力線を介して他の受信機に送信する重み係数送信手段と
をさらに備え、
前記生成手段は、各受信機の各重み係数のうち、最も大きいものに対応する前記受信データシンボルを前記新たな受信データシンボルとする
ことを特徴とする請求項１に記載のテレビジョン放送受信システム。
【請求項４】
電力線にテレビジョン放送を受信する複数の受信機が接続されたテレビジョン放送受信システムにおける受信機であって、
前記テレビジョン放送を受信するテレビジョン放送受信手段と、
前記テレビジョン放送受信手段によって受信された前記テレビジョン放送に対応する受信データシンボルを前記電力線を介して他の受信機に送信する受信データシンボル送信手段と、
前記電力線を介して他の受信機から送信されてきた各受信データシンボルと前記受信データシンボルとを合成し、新たに受信データシンボルを生成する生成手段と
を備えることを特徴とする受信機。
【請求項５】
前記テレビジョン放送受信手段によって受信された前記テレビジョン放送の受信電力を検出する検出手段と、
前記検出手段によって検出された前記受信電力に対応する重み係数を算出する重み係数算出手段と、
前記重み係数算出手段によって算出された前記重み係数を前記電力線を介して他の受信機に送信する重み係数送信手段と
をさらに備え、
前記生成手段は、各受信機の前記受信データシンボルと前記重み係数との積から前記新たな受信データシンボルを生成する
ことを特徴とする請求項１に記載の受信機。
【請求項６】
前記テレビジョン放送受信手段によって受信された前記テレビジョン放送の受信電力を検出する検出手段と、
前記検出手段によって検出された前記受信電力に対応する重み係数を算出する重み係数算出手段と、
前記重み係数算出手段によって算出された前記重み係数を前記電力線を介して他の受信機に送信する重み係数送信手段と
をさらに備え、
前記生成手段は、各受信機の各重み係数のうち、最も大きいものに対応する前記受信データシンボルを前記新たな受信データシンボルとする
ことを特徴とする請求項１に記載の受信機。
【発明の詳細な説明】
【技術分野】
【０００１】
本発明はテレビジョン放送受信システムに関し、特に、電力線通信を用いたテレビジョン放送受信システムに関するものである。
【背景技術】
【０００２】
従来、電力線を構成する複数の配線により形成された複数の伝送路を利用して通信を行う通信システムにおいて、各伝送路の伝送特性に応じて最適に搬送波の配分を行い、各伝送路に互いに異なる方法でインターリーブされた送信信号を送出することにより、誤り率特性を向上させるようにしたものがある（例えば、特許文献１参照）。
また、電力線を構成する複数の配線により形成された複数の伝送路を利用して通信を行う通信システムにおいて、各伝送路を経由した受信信号を合成することにより、誤り率特性を向上させるようにしたものがある（例えば、特許文献２参照）。
【特許文献１】特開２００５−１５１３６４号公報
【特許文献２】特開２００４−２８９６６１号公報
【発明の開示】
【発明が解決しようとする課題】
【０００３】
しかしながら、背景技術はいずれのも、電力線通信の伝送路のみを考慮し、その特性を改善するものであり、電力線上に複数のアンテナおよび受信機が存在する場合に、各アンテナおよび受信機によって受信された受信信号を電力線に送信し、各受信信号を合成することによって、受信特性を改善するということはできないという問題があった。
本発明はこのような状況に鑑みてなされたものであり、上記問題点を解決できる表示装置を提供することを目的とする。
【課題を解決するための手段】
【０００４】
請求項１に記載のテレビジョン放送受信システムは、電力線にテレビジョン放送を受信する複数の受信機が接続されたテレビジョン放送受信システムであって、各受信機は、前記テレビジョン放送を受信するテレビジョン放送受信手段と、前記テレビジョン放送受信手段によって受信された前記テレビジョン放送に対応する受信データシンボルを前記電力線を介して他の受信機に送信する受信データシンボル送信手段と、前記電力線を介して他の受信機から送信されてきた各受信データシンボルと前記受信データシンボルとを合成し、新たに受信データシンボルを生成する生成手段とを備えることを特徴とする。
また、各受信機は、前記テレビジョン放送受信手段によって受信された前記テレビジョン放送の受信電力を検出する検出手段と、前記検出手段によって検出された前記受信電力に対応する重み係数を算出する重み係数算出手段と、前記重み係数算出手段によって算出された前記重み係数を前記電力線を介して他の受信機に送信する重み係数送信手段とをさらに備え、前記生成手段は、各受信機の前記受信データシンボルと前記重み係数との積から前記新たな受信データシンボルを生成するようにすることができる。
また、各受信機は、前記テレビジョン放送受信手段によって受信された前記テレビジョン放送の受信電力を検出する検出手段と、前記検出手段によって検出された前記受信電力に対応する重み係数を算出する重み係数算出手段と、前記重み係数算出手段によって算出された前記重み係数を前記電力線を介して他の受信機に送信する重み係数送信手段とをさらに備え、前記生成手段は、各受信機の各重み係数のうち、最も大きいものに対応する前記受信データシンボルを前記新たな受信データシンボルとするようにすることができる。
請求項４に記載の受信機は、電力線にテレビジョン放送を受信する複数の受信機が接続されたテレビジョン放送受信システムにおける受信機であって、前記テレビジョン放送を受信するテレビジョン放送受信手段と、前記テレビジョン放送受信手段によって受信された前記テレビジョン放送に対応する受信データシンボルを前記電力線を介して他の受信機に送信する受信データシンボル送信手段と、前記電力線を介して他の受信機から送信されてきた各受信データシンボルと前記受信データシンボルとを合成し、新たに受信データシンボルを生成する生成手段とを備えることを特徴とする。
また、前記テレビジョン放送受信手段によって受信された前記テレビジョン放送の受信電力を検出する検出手段と、前記検出手段によって検出された前記受信電力に対応する重み係数を算出する重み係数算出手段と、前記重み係数算出手段によって算出された前記重み係数を前記電力線を介して他の受信機に送信する重み係数送信手段とをさらに備え、前記生成手段は、各受信機の前記受信データシンボルと前記重み係数との積から前記新たな受信データシンボルを生成するようにすることができる。
また、前記テレビジョン放送受信手段によって受信された前記テレビジョン放送の受信電力を検出する検出手段と、前記検出手段によって検出された前記受信電力に対応する重み係数を算出する重み係数算出手段と、前記重み係数算出手段によって算出された前記重み係数を前記電力線を介して他の受信機に送信する重み係数送信手段とをさらに備え、前記生成手段は、各受信機の各重み係数のうち、最も大きいものに対応する前記受信データシンボルを前記新たな受信データシンボルとするようにすることができる。
【発明の効果】
【０００５】
本発明によれば、受信されたテレビジョン放送に対応する受信データシンボルを電力線を介して他の受信機に送信し、電力線を介して他の受信機から送信されてきた各受信データシンボルと自身が受信した受信データシンボルとを合成して新たに受信データシンボルを生成するようにしたので、受信特性を向上させることができる。
【発明を実施するための最良の形態】
【０００６】
図１は、本発明のテレビジョン放送受信システムの一実施の形態の構成例を示すブロック図である。同図に示すように、本発明の一実施の形態としてのテレビジョン放送受信システム１００は、放送局１から伝送路１０−１経由で送信されてきた電波を受信し、受信信号を出力するアンテナ１１０−１と、アンテナ１１０−１より出力された受信信号から所定のチャンネルを選局し、選局したチャンネルの映像音声信号を出力する受信機（テレビジョン受像機（ＴＶ））２００−１と、受信機２００−１から出力される受信信号を電力線４００に送出する電力線モデム３００−１と、放送局１から伝送路１０−２経由で送信されてきた電波を受信し、受信信号を出力するアンテナ１１０−２と、アンテナ１１０−２より出力された受信信号から所定のチャンネルを選局し、選局したチャンネルの映像音声信号を出力する受信機２００−２と、受信機２００−２から出力される受信信号を電力線４００に送出する電力線モデム３００−２と、放送局１から伝送路１０−３経由で送信されてきた電波を受信し、受信信号を出力するアンテナ１１０−３と、アンテナ１１０−３より出力された受信信号から所定のチャンネルを選局し、選局したチャンネルの映像音声信号を出力する受信機２００−３と、受信機２００−３から出力される受信信号を電力線４００に送出する電力線モデム３００−３と、各受信機２００−１，２００−２，２００−３（以下では、各受信機２００−１，２００−２，２００−３を特に区別する必要がない場合、適宜単に受信機２００と記載する）が接続される電力線４００等から構成されている。
【０００７】
図２の上鎖線内は、受信機２００−１の構成例を示すブロック図である。受信機２００−２，２００−３も同様の構成であるので、それらの図示および説明は省略する。同図に示すように、受信機２００−１は、受信信号から所定のチャンネルを選局する選局部２１０と、選局された所定のチャンネルの受信信号に対して直交復調を行う直交復調部２１１と、直交復調部２１１によって復調された受信信号に対してＦＦＴ処理を行うＦＦＴ部２１２と、ＦＦＴ処理が施された受信信号に対して等化処理を施す等化器２１３と、雑音推定処理を行う雑音推定部２１４と、受信シンボル電力を検出する受信シンボル電力検出部２１５と、重み係数を算出する重み算出部２１６と、電力線４００を介して通信する受信機（通信先）を選択する通信先選択部２１７と、電力線４００を介して受信した受信データシンボルを合成するシンボル合成部２２０と、シンボル合成部２２０において合成された受信データシンボルに対して誤り訂正符号を復号化する誤り訂正符号復号化部２２１と、ＴＳ（Transport Stream）出力部２２３等から構成されている。
【０００８】
図２の下鎖線内は、電力線モデム３００−１の構成例を示すブロック図である。電力線モデム３００−２，３００−３も同様の構成であるのでその図示および説明は省略する。同図に示すように、電力線モデム３００−１は、受信機２００−１から供給された受信データシンボルを電力線４００を介して送信するために変調する変調部３１０と、変調部３１０によって変調された受信データシンボルを電力線４００経由で他の受信機２００−２，２００−３に送信する送信部３１１と、他の送信機２００−２，２００−３から送信されてきた受信データシンボルを受信する受信部３２０と、受信部３２０によって受信された受信データシンボルを復調し、受信機２００−１に供給する復調部３２１等から構成されている。
【０００９】
図３は、受信機２００−１の処理手順を説明するためのフローチャートである。受信機２００−２，２００−３の処理手順も同様であるのでその説明は省略する。まず、ステップＳ１において、選局部２１０は、受信信号から所定のチャンネルを選局し、直交復調器２１１に供給する。
【００１０】
次に、ステップＳ２において、選局部２１０より供給された所定のチャンネルの受信信号に対して復調処理が施される。即ち、まず、直交復調部２１１により、選局部２１０より供給された所定のチャンネルの受信信号に対して直交復調処理が施され、ＦＦＴ部２１２に供給される。次に、復調された受信信号に対してＦＦＴ部２１２により、ＦＦＴ処理が施され、受信データシンボルが等化器２１３に供給される。その後、ＦＦＴ処理が施されて得られた受信データシンボルに対して等化器により等化処理が施され、雑音推定部２１４によって雑音推定処理が施され、雑音が除去される。
【００１１】
次に、ステップＳ３において、受信シンボル電力検出部２１５により、雑音推定部２１４により雑音が除去された受信データシンボルの電力が算出される。
【００１２】
ステップＳ４においては、ステップＳ３において算出された受信データシンボルの電力（受信電力）が、予め設定された所定の基準電力より大きいか否かが判定される。その結果、受信データシンボルの受信電力が基準電力より大きくないと判定された場合、ステップＳ５に進む。一方、受信データシンボルの受信電力が基準電力より大きいと判定された場合、ステップＳ９に進む。ステップＳ５においては、重み算出部２１６により、各受信機２００の重み係数が算出される。
【００１３】
次に、ステップＳ６において、通信先選択部２１７により、電力線４００上に接続されている他の受信機（ＴＶ）２００が検索される。この例では、まず、受信機２００−２が検索される。
【００１４】
次に、ステップＳ７において、通信先選択部２１７により、検索された受信機２００−２の電源がオフされているか否かが判定される。その結果、電源がオフされていると判定された場合、ステップＳ８において、通信先選択部２１７は、電源がオフされていると判定された受信機２００−２に対して、電源をオンするよう指令する電源オンコマンドを電力線４００を介して送信する。
【００１５】
この電源オンコマンドは、受信機２００−２の通信先選択部２１７によって受信され、電源をオンにする制御が行われる。具体的には、選局部２１０、直交復調部２１１、ＦＦＴ部２１２、等化器２１３、雑音推定部２１４、受信シンボル電力検出部２１５、重み算出部２１６、通信先選択部２１７が動作可能となるように各部に電力を供給する制御が行われる。ここでは、電力線モデム３００−２，３００−３は、常時、電源オンされているものとする。
【００１６】
一方、ステップＳ７において、検索された受信機２００−２の電源がオンであると判定された場合、ステップＳ１２に進み、受信機２００−１が選局しているチャンネルと、検索された受信機２００−２が現在選局しているチャンネルとが比較され、両者が一致する場合、ステップＳ１３に進み、両者が一致しない場合、ステップＳ６に戻り、ステップＳ６以降の処理が繰り返し実行される。
【００１７】
ステップＳ１３においては、通信先選択部２１７は、電源オンコマンドを送信した受信機２００−２に対して、伝送路１０−２を介して受信した受信シンボルデータを電力線４００を介して送信するよう、シンボル送信要求を行う。このシンボル送信要求は、選局すべきチャンネル（受信機２００−１において選局されているチャンネル番号）を示すチャンネル情報（ＣＨ情報）と、そのチャンネルの受信データシンボルおよび重み係数の送信を要求するコマンドとを含む。
【００１８】
次に、ステップＳ１４において、シンボル送信要求を行った受信機２００−２から電力線４００を介して送信されてきた受信データシンボルおよび重み係数がシンボル合成部２２０によって受信されると、ステップＳ１５において、シンボル合成部２２０により、受信機２００−１のｉ番目の受信データシンボルと、各受信機２００（ここでは、受信機２００−２）から送信されてきたｉ番目のキャリアの受信データシンボルが下記式に従って合成される。ｉは１〜５６１７の整数とする。１セグメントは４３２のキャリアで構成され、１３セグメントある。総キャリア数（５６１７）＝１セグメント当たりのキャリア数（４３２）×セグメント数（１３）＋１。
【００１９】
ａｉ＝ｗ１ｉ・ａ１ｉ＋ｗ２ｉ・ａ２ｉ＋ｗ３ｉ・ａ３ｉ
【００２０】
ここで、ａｉは、ｉ番目のキャリアの合成された受信データシンボルを示している。ｗ１ｉは、受信機２００−１のｉ番目のキャリアの受信データシンボルに対する重み係数である。ａ１ｉは、受信機２００−１のｉ番目のキャリアの受信データシンボルである。ｗ２ｉは、受信機２００−２のｉ番目のキャリアの受信データシンボルに対する重み係数である。ａ２ｉは、受信機２００−２のｉ番目のキャリアの受信データシンボルである。ｗ３ｉは、受信機２００−３のｉ番目のキャリアの受信データシンボルに対する重み係数である。ａ３ｉは、受信機２００−３のｉ番目のキャリアの受信データシンボルである。
【００２１】
次に、ステップＳ１６において、合成した受信データシンボルの受信電力が、基準電力より大きいか否かが判定される。その結果、合成して得られた受信データシンボルの受信電力が基準電力より大きくないと判定された場合、ステップＳ６に戻り、ステップＳ６以降の処理が繰り返し実行される。ステップＳ６においては、この例では、電力線４００に接続されている受信機２００−３が検索されることになる。一方、合成して得られた受信データシンボルの受信電力が基準電力より大きいと判定された場合、ステップＳ９に進む。
【００２２】
ステップＳ１６において合成した受信データシンボルの受信電圧が基準電圧より大きいと判定された場合、または、ステップＳ４において、受信機２００−１の受信データシンボルの受信電圧が基準電圧より大きいと判定された場合、ステップＳ９に進み、誤り訂正符号復号化部２２１により、受信データシンボルの誤り訂正符号復号化処理が実行される。次に、ステップＳ１０において、ＴＳ出力され、ステップＳ１１において、図示しない表示装置に受信データシンボルに対応する映像が表示される。
【００２３】
ステップＳ６においては、合成して得られた受信データシンボルの受信電力が基準電力より大きくなるまで、電力線４００に接続された次の受信機２００が検索されるが、検索すべき受信機２００がない場合、ステップＳ９に進む。
【００２４】
また、ここでは、ステップＳ１３において、一旦、シンボル送信要求を行った受信機２００からは、引き続き受信データシンボルの電力線４００を介した送信が行われるものとする。従って、複数の受信機２００に対してシンボル送信要求を行った場合には、複数の受信機２００から送信されてきた受信データシンボルと、受信機２００−１の受信データシンボルとが、シンボル合成部２２０によって合成されることになる。
【００２５】
以上説明したように、本実施の形態では、複数の受信機２００によって複数の伝送路１０−１乃至１０−３を介して受信された受信データシンボルを合成して新たに受信データシンボルを生成することができるので、受信特性を向上させることができる。
【００２６】
例えば、室内アンテナだけで構成された受信機２００だけでも、ダイバーシチ効果によって受信特性をあげることができるので、視聴が可能となる。これにより、屋外アンテナを不要とすることができる可能性がある。
【００２７】
また、屋外アンテナで受信された受信信号において、受信電力が落ち込んだキャリアを正しく復調するのは無理であるが、他の室内アンテナによって受信された受信信号を用いて合成することにより、受信特性を改善することができる。
【００２８】
また、電力線４００を介して通信を行うため、屋内であれば離れていても問題なく通信を行うことができる。また、設置場所が離れることにより、伝送路の相関が無くなり、ダイバーシチ効果が得られやすくなるという効果がある。
【００２９】
なお、上記実施の形態において、シンボル合成部２２０が、各受信機２００の各重み係数のうち、最も大きいものに対応する受信データシンボルを新たな受信データシンボルとするようにすることもできる。
【００３０】
また、上記実施の形態の構成及び動作は例であって、本発明の趣旨を逸脱しない範囲で適宜変更することができることは言うまでもない。
【産業上の利用可能性】
【００３１】
本発明は、例えば、テレビジョン放送受信装置だけでなく、電力線で接続されたハードディスクレコーダやビデオテープレコーダ、或いはラジオ受信機等の様々な機器にも適用することができる。
【図面の簡単な説明】
【００３２】
【図１】本発明のテレビジョン放送受信システムの一実施の形態の構成例を示すブロック図である。
【図２】受信機の構成例を示すブロック図である。
【図３】電力線モデムの構成例を示すブロック図である。
【符号の説明】
【００３３】
１  放送局
１０−１乃至１０−３  伝送路
１００  テレビジョン放送受信システム
１１０−１乃至１１０−３  アンテナ
２００−１乃至２００−３  受信機
２１０  選局部
２１１  直交復調部
２１２  ＦＦＴ部
２１３  等化器
２１４  雑音推定部
２１５  受信シンボル電力検出部
２１６  重み算出部
２１７  通信先選択部
２２０  シンボル合成部
２２１  誤り訂正符号復号化部
２２３  ＴＳ出力部
３００−１乃至３００−３  電力線モデム
３１０  変調部
３１１  送信部
３２０  受信部
３２１  復調部
４００  電力線
【図１】
2008300919.tif 000003
【図２】
2008300919.tif 000004
【図３】
2008300919.tif 000005